(57)【要約】【課題】被写体となる人物の顔を複数の異なる照明条件にて撮影して、被写体となった人物が、撮影された複数の照明効果の異なる顔画像の中から、気に入った顔画像を選択できる人物撮影装置を提供すること。【解決手段】人物の顔を撮影する人物撮影装置であって、被写体となる人物の顔を照明する照明光の照度、配光、配色を可変できる照明手段と、複数の照明条件の設定、及び設定された前記複数の照明条件の実行順序の設定を受け付け、設定された前記複数の照明条件と前記実行順序に基づき前記照明手段を制御し、撮影用カメラに撮影指示信号を送る制御手段と、を有することを特徴とする人物撮影装置。【選択図】図１
2007241042.tif 000002
【特許請求の範囲】
【請求項１】
人物の顔を撮影する人物撮影装置であって、
被写体となる人物の顔を照明する照明光の照度、配光、配色を可変できる照明手段と、
複数の照明条件の設定、及び設定された前記複数の照明条件の実行順序の設定を受け付け、設定された前記複数の照明条件と前記実行順序に基づき前記照明手段を制御し、撮影用カメラに撮影指示信号を送る制御手段と、
を有することを特徴とする人物撮影装置。
【請求項２】
開閉する天板又は扉を備え、前記照明手段を前記天板又は扉に設けたことを特徴とする請求項１に記載の人物撮影装置。
【請求項３】
設定されている前記複数の照明条件、又は前記複数の照明条件の実行順序を変更する設定変更情報を入力する入力手段を有することを特徴とする請求項１又は２に記載の人物撮影装置。
【請求項４】
撮影された画像を表示する表示手段と、表示された前記画像の中からプリントする画像を選択する入力手段とを有することを特徴とする請求項１〜３のいずれか１項に記載の人物撮影装置。
【請求項５】
表示された前記画像と共に、前記画像に対応する照明条件を示す画像情報、又は文字情報を表示することを特徴とする請求項４に記載の人物撮影装置。
【発明の詳細な説明】
【技術分野】
【０００１】
本発明は、被写体を照射する照明条件を変更して撮影を行う人物撮影装置に関する。
【背景技術】
【０００２】
人物撮影装置としては、パスポートの申請書、履歴書、その他各種試験の受験申請書へ添付する顔写真を得るためのボックス型の証明写真撮影装置や（例えば、特許文献１参照。）、展望、その他景色を売り物にしている観光地、各種イベント会場に置かれ、撮影した人物像と、予め準備した背景画像とを合成して記念写真を作る記念写真撮影装置（例えば、特許文献２参照。）が知られている。
【０００３】
これらの人物撮影装置は、通常、無人のボックス内か、カーテン状の仕切り内に納められており、内部に入ったお客は、これらの装置に設けられたタッチパネルと呼ばれる操作表示手段に逐次表示される案内に従って指示操作を行い、所定の写真を得る。
【０００４】
上述した証明写真装置によって作成される顔写真は、使用目的に適合する所定の要件、例えば本人の顔の特徴が明瞭に出ていること、写真のサイズが適切であること等の条件を満足しているか否かが重要であり、また、記念写真撮影装置によって作成される顔写真は背景の中の画像の一部として認識されるので、笑顔であれば良しとすることが多い。その結果、撮影された顔写真そのものは、照明光が顔の一部に強く当たりその部分が光ったものであったり、顔一面に照明光が当たり扁平となったものであることが多い。
【０００５】
従って、上述した様な装置にて、できるだけ自分の気に入った顔写真を撮ろうとしても、顔写真としての品質はある程度のレベルにて我慢せざるを得なくなる場合もある。
【０００６】
このような状況から、良い顔写真を得ようとする時には、専門の撮影者に撮影を依頼せざるを得なかった。依頼を受けた専門の撮影者は、被写体となる人物の顔がより良く撮影されるように照明条件をはじめとする各種撮影条件を個別に設定して、また、被写体となる人物が良い表情を作り出すように誘導して、専用のカメラで複数枚の撮影をすることが一般的に行われている。
【０００７】
しかしながら、上記したような専門の撮影者による各種の撮影条件は、その撮影者の経験と技術の蓄積によって設定されるものであることから、被写体となる人物は、それに相応しい対価となるコストを気にすることになる。
【特許文献１】特開２００２−２１４６９０号公報（第１頁）
【特許文献２】特開平５−１６１０６４号公報（第１頁）
【発明の開示】
【発明が解決しようとする課題】
【０００８】
本願発明は、上述したような状況に鑑みてなされたもので、被写体となる人物の顔を複数の異なる照明条件にて撮影して、被写体となった人物が、撮影された複数の照明効果の異なる顔画像の中から、気に入った顔画像を選択できる人物撮影装置を提供することにある。
【課題を解決するための手段】
【０００９】
前記課題は、以下に記載する発明により達成される。
１．人物の顔を撮影する人物撮影装置であって、
被写体となる人物の顔を照明する照明光の照度、配光、配色を可変できる照明手段と、
複数の照明条件の設定、及び設定された前記複数の照明条件の実行順序の設定を受け付け、設定された前記複数の照明条件と前記実行順序に基づき前記照明手段を制御し、撮影用カメラに撮影指示信号を送る制御手段と、
を有することを特徴とする人物撮影装置。
２．開閉する天板又は扉を備え、前記照明手段を前記天板又は扉に設けたことを特徴とする１項に記載の人物撮影装置。
３．設定されている前記複数の照明条件、又は前記複数の照明条件の実行順序を変更する設定変更情報を入力する入力手段を有することを特徴とする１又は２項に記載の人物撮影装置。
４．撮影された画像を表示する表示手段と、表示された前記画像の中からプリントする画像を選択する入力手段とを有することを特徴とする１〜３項のいずれか１項に記載の人物撮影装置。
５．表示された前記画像と共に、前記画像に対応する照明条件を示す画像情報、又は文字情報を表示することを特徴とする４項に記載の人物撮影装置。
【発明の効果】
【００１０】
本発明により、被写体となる人物の顔を複数の異なる照明条件で撮影することにより、被写体となった人物は、異なる照明条件で撮影された複数の顔画像の中から自分の気に入った顔画像を選択できる人物撮影装置が提供される。
【発明を実施するための最良の形態】
【００１１】
以下、本発明の実施の形態を、図面を基に説明する。
【００１２】
図１は、本発明の人物撮影装置Ｇによる撮影の様子を示す図である。人物撮影装置Ｇは本体の左右の所定位置を支点にしてに開閉する扉１２、１３と上部にて昇降し開閉する天板１４を備えている。前記扉１２、１３，及び天板１４の被写体の人物Ｐに向かう面には発光素子、例えば発光ダイオード（ＬＥＤ）が一面に並べられており、人物を照明している。
【００１３】
人物Ｐは、正面のハーフミラー１７に映った自分の顔を見ながら適当と思われる位置に立ち、操作表示手段１６の操作ボタンやリモートコントローラ（不図示）を操作することにより、あるいはオペレータの操作により撮影を行う。
【００１４】
図２は、人物撮影装置Ｇの概念図であり、（ａ）は正面図、（ｂ）は側面図、（ｃ）は上面図である。
【００１５】
図に示される人物撮影装置Ｇは、上部筐体１０と、下部筐体２０と、これらの二つの筐体を接続する接続部３０とからなる。
【００１６】
上部筐体１０は、上方に開閉する天板１１と、左右に開閉する扉１２、１３とを有し、その内部には、撮影用カメラＣＭ、プリンタＰＲ、制御手段Ｃ、ストロボＳＴ１〜４等が収納されている。
【００１７】
また、下部筐体２０は、底部に移動用の車を備えた台座を有し、その内部には、電源装置等の質量の大きな物が収納されている。
【００１８】
撮影用カメラＣＭは、デジタルカメラで矢印ａの方向の被写体の撮影を行い、撮影した画像情報を制御手段Ｃに送る。
【００１９】
プリンタＰＲは、制御手段Ｃから送られた画像情報を基にハードコピーを出力するプリンタで、熱昇華転写、インクジェット、電子写真等、適宜な技術手段によるプリンタを採用することができる。
【００２０】
上部筐体１０の天板１４が上部に、また扉１２、１３が左右に開かれると、天板１４、扉１２、１３の裏側の発光面１４１、１２１、１３１が上部と左右に現れ、正面には、撮影用カメラのレンズ１５、及び、操作表示手段１６が現れる。なお、前記発光面１４１、１２１、１３１は本発明における照明手段であり、操作表示手段１６は、広く一般に使用されている公知の技術手段であるタッチパネルであって、表示手段と、所定の位置に触れることにより情報の入力が可能な入力手段の機能を合わせ持つ手段である。
【００２１】
図３は人物撮影装置の制御関係を示すブロック図である。なお、本発明の説明に不要なブロックについては記載を省略してある。
【００２２】
制御手段Ｃは、ＣＰＵ、メモリＭ、画像処理用ＩＣ、入出力ポート、通信用インターフェイス、駆動回路からなるコンピュータシステムである。制御手段Ｃによる制御は、メモリに予め格納してある所定のプログラムを実行させることにより行われる。
【００２３】
撮影用カメラＣＭから制御手段Ｃに送られた画像情報は、画像処理が施され、圧縮されて、前記メモリＭの所定のファイルに格納される。格納された画像情報は、前記タッチパネルから入力された指示情報、例えばサイズ、枚数等の指示情報に基づいて出力画像に加工され、プリンタ１４に送られる。
【００２４】
図４は、扉１２、１３の動作を説明する図である。
【００２５】
図４は図２（Ｃ）に示すの上面図に対応するものである。扉１２、１３は支点１２２、１３２を中心にして回転可能であり、扉開閉手段（不図示）により開閉する。また、扉開閉手段は制御手段Ｃにより開閉停止位置が制御される。扉１２、１３の発光面１２１、１３１は矢印ｃ、及びｄの方向に向け発光して、被写体となっている人物を照射する。
【００２６】
図５は扉１２の発光面１２１を説明する図である。
【００２７】
発光面１２１には発光素子であるＬＥＤが複数個ｘ方向、及びｙ方向に所定の間隔をもって並べられている。複数のＬＥＤは、制御手段Ｃからの制御情報に基づいて個別にＬＥＤを駆動する発光面制御手段によって、オンオフ制御、又は光量制御が、個別になされ、制御手段Ｃに設定された照明条件に基づく照明が実行される。
【００２８】
図６は、発光面１２１、１３１のＬＥＤの点灯位置を変更することにより、照明光の配光を変化させるようにした、照明条件の変更例を示す図である。
【００２９】
図６（ａ）は、二つの扉の発光面が全て発光している様子を示しており、図６（ｂ）、及び（ｃ）は、左右いずれかの発光面の一部を不点灯としたもので、人物の顔の左右いずれかの側に陰影を作ることに効果があり、図６（ｄ）、及び（ｅ）は人物の顔の上下いずれかの側に陰影を作る効果があるものであり、図６（ｆ）は、顔の斜め方向に陰影を作る
効果があるものである。
【００３０】
上述の説明は、天板１４の発光面１４１を利用しない配光パターンを例に挙げて行ったが、実験により発光面１４１を含めた配光パターンを決定して、予め制御手段Ｃに設定される。
【００３１】
また、発光面のＬＥＤは、個別に光量調整できることから、配光パターンと光量調整により被写体である人物の顔にできる陰影を微妙に調整する。特に、顔に作られる陰影により、撮影される画像の顔幅は大きく変わるので、この微調整は重要なものとなる。
【００３２】
図７は、人物撮影装置Ｇによる撮影の流れを示すフローチャートである。
【００３３】
被写体となる人物は、課金等の処理を済ませ、人物撮影装置の操作表示手段１６、又はリモートコントローラ（不図示）の撮影開始ボタンを押す（ステップＳ１）、制御手段ＣのメモリＭには、予め、プログラムである照明条件設定処理を実行することによって、Ｎ通りの照明条件を設定した照明条件設定テーブルが作られ、プログラムである実行順序設定処理が実行されることにより、前記照明条件設定テーブルに設定されたＮ通りの照明条件を指定された順番に並べかえる。なお、この処理は、予め、考えられる照明条件を照明条件設定テーブルに全て設定しておき、これらの照明条件から複数の照明条件を選択して、選択した照明条件を指定する順番に実行させるようにしても良い。また、通常、照明条件の実行順序は、照明条件の変化により撮影された顔画像がどの様に変化していくかがわかりやすくなるように設定される。
【００３４】
先ず１番目に設定された照明条件が呼び出されると（ステップＳ２）、呼び出された照明条件が発光面制御手段に送られることにより照明手段である発光面１２１、１３１が点灯し、ガイドの音声が流れ、所定のタイミングで制御手段Ｃから撮影用カメラ１３に撮影指示信号が送られ、撮影が行われる。（ステップＳ３）。次いで、次の照明条件を呼び出すための数値であるＮに１が加えられ（ステップＳ４）、Ｎが予め設定してある数Ｋ以下である場合には（ステップＳ５：Ｎ）、次の照明条件が呼び出され、その条件にて撮影が行われる（ステップＳ３）。
【００３５】
次の照明条件を呼び出すための数値であり、撮影回数でもあるＮが予め設定した値Ｋを超えると（ステップＳ５：Ｙ）、今まで撮影された顔画像が、付属する照明条件を示す画像、又は文字と共に操作表示手段に表示され（ステップＳ６）、被写体となった人物は、撮影された複数顔画像の中から気に入ったものを少なくとも一つ選択する（ステップＳ７）。制御手段Ｃは選択された顔画像をプリンタＰＲにハードコピーとして出力して（ステップＳ８）、ルーチンから出る。
【００３６】
なお、前記照明手段による照明条件の変更は、上述したような照明光の配光の変化によるものに限らず、照明光の強さを一様に上下させることにより被写体の照度を変化させるようにする照明条件の変更もできることはいうまでもない。
【００３７】
また、選択された顔画像をプリンタＰＲに出力するだけではなく、メモリカードをはじめ適宜な記憶媒体に出力できるようにしても良い。
【００３８】
また、照明手段は、ＬＥＤを並べたものに限定されるものではなく、上述したように照明光の照度、配光、配色を可変できるものであれば何でも良く、例えば、ＥＬ（エレクトロルミネッセンス）ディスプレイ、プラズマディスプレイ、液晶ディスプレイでも良い。
【００３９】
また、このような照明手段による照明光にストロボによる光を付加して撮影を行っても良い。
【００４０】
以上説明したように、本発明による人物撮影装置は、多様な照明条件の設定が可能であり、また、設定された照明条件による照明を所定の順番に実行させながら撮影した画像を表示するので、被写体となった人物は、照明条件の変化による顔画像の変化を明瞭に認識することができ、撮影された顔画像の中から最も気に入った顔写真を容易に選択し、プリントさせることができる。
【図面の簡単な説明】
【００４１】
【図１】人物撮影装置による撮影の様子を示す図である。
【図２】人物撮影装置の概念図である。
【図３】人物撮影装置の制御関係を示すブロック図である。
【図４】扉の動作を説明する図である。
【図５】扉の発光面を説明する図である。
【図６】照明光の配光を変化させるようにした、照明条件の変更例を示す図である。
【図７】人物撮影装置による撮影の流れを示すフローチャートである。
【符号の説明】
【００４２】
Ｃ  制御手段
Ｇ  人物撮影装置
ＰＲ  プリンタ
１２、１３  扉
１４  天板
１６  操作表示手段（入力手段）
１２１、１３１  発光面（照明手段）
【図１】
2007241042.tif 000003
【図２】
2007241042.tif 000004
【図３】
2007241042.tif 000005
【図４】
2007241042.tif 000006
【図５】
2007241042.tif 000007
【図６】
2007241042.tif 000008
【図７】
2007241042.tif 000009